(57)【要約】  例えば、屋上緑化植栽のためのプランターボード、ルーフデッキ断熱のための断熱構造、建築工事のための固形コンクリートパネルなど、異なる製品を形成するために様々な用途において使用され得る多機能トレイ。トレイは、上部、下部、及び上部と下部との間に接続された裏打ち層を含む。下部は、貫通孔を備えた複数の貯水部を含む。上部は、上部における材料を固定するために複数の区画及び固定ユニットを有する。
2018525972.tif 000002
【特許請求の範囲】
【請求項１】
上部、下部、及び前記上部と前記下部との間に接続された裏打ち層であって、
前記下部は、
前記裏打ち層の下にわたり離間されて位置する複数の貯水部であって、各貯水部が、
前記裏打ち層を通るように画定された開口と、
水を通す貫通孔と、前記トレイが設置される支持表面に接触して前記貫通孔と前記支持表面との間に間隙を空けるための前記貫通孔に隣接する複数の突出部とを有するベースとを含む、複数の貯水部を含み、
前記上部は、
材料を包含するための空洞を形成するように前記裏打ち層の外周縁から上向きに延在する側壁であって、前記空洞の容量を画定する高さを有する側壁と、
前記裏打ち層を前記空洞内で複数の区画に分割するために前記裏打ち層から上向きに延在する複数の仕切りであって、各区画が特定の数の前記貯水部を囲み、材料の二つの層が前記上部に形成され、第１層が前記区画内に形成され、及び第２層が前記第１層の上に前記側壁の上端部まで形成されるように、各仕切りが前記側壁の前記高さ未満の高さを有する、複数の仕切りと、
前記側壁の内面に形成され、前記材料が前記側壁の前記内面から分離するのを防ぐように前記空洞における前記材料を前記側壁に固定するように構成された複数の固定ユニットとを含む、上部、下部、及び裏打ち層と、
前記側壁の外面に形成され、連結ユニットによって確実に連結された複数の前記トレイを有するモジュール式構造が形成され得るように、前記トレイを別のトレイと連結させるように構成された複数の前記連結ユニットと、
前記裏打ち層、前記貯水部、及び前記トレイが設置される前記支持表面によって画定された空間である、前記トレイの下側に形成された複数方向の水路と
を含む、トレイ。
【請求項２】
前記仕切りの各々の前記高さが前記側壁の前記高さの半分である、請求項１に記載のトレイ。
【請求項３】
前記裏打ち層が九つの区画に分割される、請求項１に記載のトレイ。
【請求項４】
前記複数の貯水部が均等に離間された配列として配置される、請求項１に記載のトレイ。
【請求項５】
高圧縮強度材料で形成されている、請求項１に記載のトレイ。
【請求項６】
前記固定ユニットの各々が、スロットを有する矩形の中空ハウジングを形成するために前記側壁の前記内面において互いに向かい合うように配置された長尺状のＬ字形ブラケットの対である、請求項１に記載のトレイ。
【請求項７】
前記上部の前記第１層が保水材料で充填され、及び前記上部の前記第２層が植栽用培地で充填される、請求項１に記載のトレイ。
【請求項８】
前記上部の前記第１層が断熱材料で充填され、及び前記上部の前記第２層がセメント、モルタル、又はコンクリートで充填される、請求項１に記載のトレイ。
【請求項９】
前記上部の前記第１層及び前記第２層並びに前記下部の前記複数の貯水部がセメント、モルタル、又はコンクリートで充填される、請求項１に記載のトレイ。
【請求項１０】
モジュール式栽植構造であって、
前記連結ユニットによって互いに確実に連結され、前記トレイの各々の前記第１層が保水材料で充填され、及び前記トレイの各々の前記第２層が植栽用培地で充填される、請求項１〜６のいずれか一項に記載の複数のトレイ
を含む、モジュール式栽植構造。
【請求項１１】
モジュール式断熱構造であって、
前記連結ユニットによって互いに確実に連結され、前記トレイの各々の前記第１層が断熱材料で充填され、及び前記トレイの各々の前記第２層がセメント、モルタル、又はコンクリートで充填される、請求項１〜６のいずれか一項に記載の複数のトレイ
を含む、モジュール式断熱構造。
【請求項１２】
モジュール式建築用構造であって、
前記連結ユニットによって互いに確実に連結され、前記トレイの各々の前記第１層、前記第２層及び前記複数の貯水部がセメント、モルタル、又はコンクリートで充填される、請求項１〜６のいずれか一項に記載の複数のトレイ
を含む、モジュール式建築用構造。
【発明の詳細な説明】
【技術分野】
【０００１】
発明の分野
本発明は、例えば、屋上緑化植栽のためのプランターボード、ルーフデッキ断熱のための断熱構造、建築工事のための固形コンクリートパネルなど、異なる製品を形成するために様々な用途において使用され得る多機能トレイに関する。
【背景技術】
【０００２】
発明の背景
建築工事では、コンクリートを望ましい形状に流し込むために一時的な型枠が使用されることが多い。コンクリートが硬化すると型枠は除去される。例えば、低コストの集合住宅計画に好適な一般に軽量で堅牢な固形コンクリートパネルを形成するために型枠が使用されてもよい。屋上緑化用途では、プランターボードが植栽用培地と植物とを包含するために使用されることが多い。これらのプランターボードには、通常、水を貯める又は排出するのに役立つ小さい貯水部がある。ルーフデッキ断熱用途では、一時的な型枠が断熱パネルを成型するために使用されることが多い。パネルが硬化すると型枠は除去される。
【発明の概要】
【発明が解決しようとする課題】
【０００３】
上で言及された型枠及びプランターボードの各々並びに他の先行技術は、特定の用途のみでの使用のために設計されたものであり、他の用途のためではない。例えば、プランターボードは、常に植物を育てるときのみに使用されるように設計されているが、建築工事のためのセメントパネルを打設するように設計されていない。同様に、断熱パネルの成型に使用されるように設計された型枠は、屋上緑化用途において植物を育てるときに使用されるのに適していない。換言すると、異なるタイプの用途のためにボード、型枠又は容器の異なる設計及び構成が必要とされる。したがって、異なるタイプの用途のために用いることができる万能な容器が必要である。
【課題を解決するための手段】
【０００４】
発明の概要
本発明によるトレイにより、上記及び他の問題は解決され、当該技術分野が進歩する。本発明は、例えば、屋上緑化植栽のためのプランターボード、ルーフデッキのための断熱構造、建築工事のための固形セメントパネルなど、異なる製品を形成するために様々な用途において使用され得る多機能トレイに関する。本発明によるトレイは軽量（約１．５ｋｇ）であり、互いに確実に連結される複数のトレイを含むモジュール式構造を形成するために使用され得る。さらに、区画及び固定ユニットなどのトレイのいくつかの固有の特徴がトレイの強度、剛性及び堅牢性を高める。
【０００５】
本発明の実施形態によるトレイは、上部、下部、及び上部と下部との間に接続された裏打ち層を含む。下部は、裏打ち層の下にわたって離間された複数の貯水部を含む。各貯水部は、裏打ち層を通るように画定された開口と、ベースであって、水を通す貫通孔と、トレイが設置される支持表面に接触して貫通孔と支持表面との間に間隙を空けるための貫通孔に隣接する複数の突出部とを有するベースとを含む。
【０００６】
上部は、材料を包含するための空洞を形成するように裏打ち層の外周縁から上向きに延在する側壁を含み、側壁は空洞の容量を画定する高さを有する。裏打ち層を空洞内で複数の区画に分割するために裏打ち層から上向きに延在する複数の仕切りであって、各区画が特定の数の貯水部を囲む複数の仕切りである。材料の二つの層が上部に形成され、第１層が区画内に形成され、及び第２層が第１層の上に側壁の上端部まで形成されるように、各仕切りは側壁の高さ未満の高さを有する。複数の固定ユニットであって、側壁の内面に形成され、かつ材料が側壁の内面から分離するのを防ぐように空洞における材料を側壁に固定するように構成された複数の固定ユニットである。
【０００７】
トレイは、複数の連結ユニットであって、側壁の外面に形成され、かつ連結ユニットによって確実に連結された複数のトレイを有するモジュール式構造が形成され得るように、トレイを別のトレイと連結させるように構成された複数の連結ユニットをさらに含む。裏打ち層、貯水部、及びトレイが設置される支持表面によって画定された空間である、トレイの下側に形成された複数方向の水路である。
【０００８】
いくつかの実施形態において、仕切りの各々の高さは、側壁の高さの半分である。裏打ち層は、九つの区画に分割される。複数の貯水部は、均等に離間された配列として配置される。トレイは、高圧縮強度材料で形成されている。
【０００９】
いくつかの実施形態において、固定ユニットの各々は、スロットを有する矩形の中空ハウジングを形成するために側壁の内面において互いに向かい合うように配置された長尺状のＬ字形ブラケットの対である。
【００１０】
いくつかの実施形態において、上部の第１層は保水材料で充填され、及び上部の第２層は植栽用培地で充填される。
【００１１】
いくつかの実施形態において、上部の第１層は断熱材料で充填され、及び上部の第２層はセメント、モルタル、又はコンクリートで充填される。
【００１２】
いくつかの実施形態において、上部の第１層及び第２層並びに下部の複数の貯水部はセメント、モルタル、又はコンクリートで充填される。
【００１３】
本発明の実施形態によるモジュール式栽植構造は、上記のとおりの複数のトレイを含み、トレイは、連結ユニットによって互いに確実に連結される。トレイの各々の第１層は保水材料で充填され、及びトレイの各々の第２層は植栽用培地で充填される。
【００１４】
本発明の実施形態によるモジュール式断熱構造は、上記のとおりの複数のトレイを含み、トレイは、連結ユニットによって互いに確実に連結される。トレイの各々の第１層は断熱材料で充填され、及びトレイの各々の第２層はセメント、モルタル、又はコンクリートで充填される。
【００１５】
本発明の実施形態によるモジュール式建築用構造は、上記のとおりの複数のトレイを含み、トレイは、連結ユニットによって互いに確実に連結される。トレイの各々の第１層、第２層及び複数の貯水部はセメント、モルタル、又はコンクリートで充填される。
【００１６】
図面の簡単な説明
本発明による多機能トレイの上記及び他の特徴及び利点は、以下の図を参照して、好ましい実施形態の以下の説明において説明される。
【図面の簡単な説明】
【００１７】
【図１】本発明の実施形態によるトレイの上面図を示す。
【図２】図１のトレイの下面図である。
【図３】図１のトレイの側面図である。
【図４】図１のトレイの上面斜視図である。
【図５】図１のトレイの下面斜視図である。
【図６ａ】図１のトレイの断面図であり、本発明の実施形態により、上部及び下部を含むトレイ全体がセメント、モルタル、及び／又はコンクリートで充填される。
【図６ｂ】図１のトレイの断面図であり、本発明の実施形態により、トレイの上部が断熱材料の層並びに第１層の上のセメント、モルタル、及び／又はコンクリートの層で充填される。
【図６ｃ】図１のトレイの断面図を示し、本発明の実施形態により、トレイの上部が保水材料の層及び第１層の上の植栽用培地の層で充填される。
【発明を実施するための形態】
【００１８】
発明の詳細な説明
本発明は、例えば、屋上緑化植栽のためのプランターボード、ルーフデッキのための断熱パネル、建築工事のための固形セメントパネルなど、異なる製品を形成するために様々な用途において使用され得る多機能トレイに関する。
【００１９】
図１〜５は、本発明の実施形態によるトレイ１００の上面図、下面図、側面図及び斜視図を示す。トレイ１００は、下部２００、上部３００、及び下部２００と上部３００との間に接続された裏打ち層４００を含む（図３参照）。これらの三つのコンポーネントは、本発明の機能を実施するために単一の構造として一体的に形成される。トレイ１００は、強く高い圧縮強度の材料、例えばポリプロピレン、ポリスチレン、金属などで形成されている。一実施形態において、トレイ１００の寸法は約０．５×０．５×０．０７ｍ（幅×長さ×高さ）であり、高圧縮荷重に耐え得る。当業者は、本発明から逸脱することなくトレイ１００が他の好適な寸法で形成され得ることを認める。
【００２０】
裏打ち層４００は、下部２００と上部３００とを一緒に一体的に接続し、下部２００と共に、それらは、上部３００からの負荷を支持する。一実施形態において、裏打ち層４００は、約０．５ｍの等しい４辺を有する平らな四角形プレートである。裏打ち層４００の寸法は、トレイ１００の望ましい寸法と関連付けられ、本発明から逸脱することなく任意の好適な形状（例えば、矩形、六角形など）及びサイズで形成され得る。
【００２１】
下部２００は、裏打ち層４００にわたって互いに離間されて位置付けられた複数の貯水部２０１を含む。下部２００は、水の取集、排水を促進し、空気流／循環を促す。一実施形態において、貯水部２０１は、裏打ち層４００にわたって均等に離間された配列として配置されている（図２及び５参照）。貯水部２０１はまた、トレイ１００が設置される比較的平らな表面上において、配置構成がそれらを動かないように位置付けることを可能にするという条件で、他の好適なパターン又は構成で配置され得る。各貯水部２０１は、カップ状構造など、水を集めるのに好適な構造でなければならない。一実施形態において、カップ形状貯水部２０１は直径が約３０ｍｍ及び高さが約２０ｍｍである。
【００２２】
各貯水部２０１は、上部３００からの水／材料が開口２０３を通って貯水部２０１へ流入することができるように、裏打ち層４００を通るように形成された開口２０３を有する。貯水部２０１はまた、ベース２０５を（開口２０３の反対側に）有し、ベース２０５を通して、貫通孔２０７が貯水部２０１からの水を排出しかつ空気流／循環を促すために形成される。したがって、例えば、トレイ１００が植物の栽培のために使用される場合、貯水部２０１によって集められたトレイ１００からの余分な水は、貫通孔２０７を介してトレイ１００の外に排出され得る。当業者は、二つ以上の貫通孔２０７が、本発明から逸脱することなく、ベース２０５及び／又は貯水部２０１の他の部品において形成され得ることを認める。さらに、複数の小さい突出部（又はリブもしくは足場）２０９がベース２０５に形成されてもよく、この複数の小さい突出部（又はリブもしくは足場）２０９は、トレイ１００が支持表面に設置されると、突出部２０９が支持表面に接触し、かつ支持表面と貫通孔２０７の開口との間に小さい間隙（例えば、約３ｍｍ）を空けるように、貫通孔２０７のリムに隣接して対称に配置され得る。この小さい間隙は、貯水部２０１から水を排出するのに役立つ。換言すると、突出部２０９は、トレイ１００が設置される支持表面によって貫通孔２０７がブロックされることを防ぐ。
【００２３】
上部３００は、材料を包含するための空洞を形成するように裏打ち層４００の外周縁から上向きに延在する側壁３０１を含む。側壁３０１の高さは、空洞の容量を画定し、かつ空洞内に充填され得る材料の量を制限する。一実施形態において、側壁３０１の高さは約５０ｍｍである。複数の固定ユニット３０３は、側壁３０１の内面３０５ａに形成され、かつ材料が側壁３０１の内面３０５ａから分離するのを防ぐために空洞における材料（例えば、セメント、モルタル及び／又はコンクリート）を側壁３０１に対して保持及び固定するように構成される。一実施形態において（図４参照）、各固定ユニット３０３は長尺状のＬ字形ブラケット３０７の対であり、側壁３０１の内面３０５ａの反対側にスロット３０９（すなわち、長尺状の開口）を有する矩形の中空ハウジングを形成するために側壁３０１の内面３０５ａにおいて互いに向かい合うように配置される。中空ハウジングの両下端部は開放端である。例えば、側壁３０１の内面３０５ａに沿った空洞及び全ての中空ハウジング（固定ユニット３０３）がセメントで充填され、単一のセメント体として一体的に形成されるように、セメントが空洞に注ぎ込まれる。したがって、セメントが硬化すると、（空洞におけるセメントに接続された）中空ハウジング内部のセメントは、空洞におけるセメントを側壁３０１に固定し、かつそれが側壁３０１の内面３０５ａから分離するのを防ぐ。この特徴は、空洞における材料が斜面の下端に向かって摺動する傾向があり、したがって下端で側壁３０１を押し潰す可能性がある、トレイ１００が傾斜した表面に設置される場合、特に有用である。したがって、固定ユニット３０３は、空洞における材料の摺動を防止し、したがって材料がトレイ１００の側壁３０１を押し潰すことを回避する。
【００２４】
上部３００は、材料を包含するように裏打ち層４００をいくつかの区画３１２に分割するために裏打ち層４００から上向きに延在する複数の仕切り３１１をさらに含む。一実施形態において、上部３００は、九つの同様の大きさにされた区画３１２を含む（図１及び４参照）。各区画３１２は、下部２００の特定の数の貯水部２０１、例えば図１及び４に示されるとおりの八つ又は九つの貯水部を囲む。各仕切り３１１は、側壁３０１の高さ未満の高さを有する。好ましくは、各仕切り３１１の高さは側壁３０１の高さの半分である。一実施形態において、各仕切り３１１の高さは約２５ｍｍである。側壁３０１と仕切り３１１との間の高さの違いは、上部３００が材料の二つの層で充填されることを可能にし、ここで、上部３００の第１層３１５が区画３１２内で（裏打ち層４００から仕切り３１１の上端部３１７まで）第１材料で充填され、上部の第２層３１９が、第１層３１５の上で側壁３０１の上端部３２１まで第２材料で充填され得る。第１及び第２層３１５、３１９は、トレイ１００の用途に依存して同じ又は異なる材料であり得る。上部３００の下部に区画３１２が存在することは、トレイ１００の強度及び剛性を高めるのに役立ち、したがって、裏打ち層４００が負荷によって押し潰される可能性を低下させる。さらに、これらは、かけられた負荷重量を分散させ、区画３１２における材料の側方移動を制限するのに役立つ。側面間隙３２３は、材料の第１層３１５が（裏打ち層４００に接触する底面を除いて）材料の第２層３１９によって囲まれ得るように、側壁３０１の内面３０５ａと隣接する仕切り３１１との間に設けられる。
【００２５】
複数の連結ユニット５００が、トレイ１００を別のトレイと確実に連結させるために側壁３０１の外面３０５ｂに形成される。したがって、連結ユニット５００によって連結された複数のトレイ１００を含むモジュール式構造が形成され得る。連結ユニット５００は、好適な連結機構を備えた任意の好適な構成で形成され得る。一実施形態において、連結ユニット５００は、雌コネクタ５０１と、合致する雄コネクタ５０３とを含むスロットタイプコネクタである（図１、２、４及び５参照）。
【００２６】
トレイ１００が比較的平らな表面に設置されると、複数方向の水路５１０がトレイ１００の下側に形成され、この複数方向の水路５１０は、下側の水が異なる方向に排出口へ流れることを可能にするチャネルである。通路５１０は、裏打ち層４００、貯水部２０１及びトレイが設置される支持表面によって画定されたトレイ１００の下側の空間である。各水路の幅は、二つの隣接する貯水部２０１間の距離に等しく、例えば２５ｍｍなどである。水路５１０は、トレイ１００の下に水が捕捉される又は貯まらないように、トレイ１００の下側の余分な水が異なる方向に排出口へ迅速に流れることを可能にする。
【００２７】
上で説明されたとおりのトレイ１００は、様々な領域、例えば、屋上緑化植栽、ルーフデッキ断熱、建築工事などにおいて使用され得る多機能トレイである。以下において、異なる用途のためにトレイ１００を使用している三つの異なる製品が提示される。図６ａは、建築工事用途のためにトレイ１００を使用する固形セメント、モルタル及び／又はコンクリートパネル６００の実施形態を示す。この実施形態において、上部３００の第１層３１５及び第２層３１９並びに下部２００の複数の貯水部２０１を含むトレイ１００全体は、セメント、モルタル及び／又はコンクリート６０１（化学的添加剤あり又はなし）で充填される。複数の固形パネル６００を含むモジュール式構造は、連結ユニット５００によって固形パネル６００を互いに確実に連結させることによって形成され得る。
【００２８】
図６ｂは、ルーフデッキ断熱用途のためのトレイ１００を使用した断熱パネル６１０の実施形態を示す。この実施形態において、上部３００の区画３１２（すなわち、第１層３１５）は、断熱材料６１１で充填され、この第１層は、セメント、モルタル及び／又はコンクリート６１３（化学的添加剤あり又はなし）（すなわち、第２層３１９）によって覆われる。この実施形態において、下部２００の貯水部２０１はいかなる材料でも充填されない。断熱材料６１１はルーフデッキから下の建物への熱伝達を減少させる。一実施形態において、断熱材料６１１はポリスチレン発泡体である。複数の断熱パネル６００を含むモジュール式断熱構造は、連結ユニット５００によって断熱パネル６１０を互いに確実に連結させることによって形成され得る。
【００２９】
図６ｃは、屋上緑化植栽用途のためのトレイ１００を使用した栽植構造６２０の実施形態を示す。この実施形態において、上部３００の区画３１２（すなわち、第１層３１５）は、保水材料６２１で充填され、この第１層は、植栽用培地６２３（すなわち、第２層３１９）によって覆われる。この実施形態において、下部２００の貯水部２０１はいかなる材料でも充填されない。保水材料６２３は、植栽用培地６２３からの水を吸収し、かつその水を一時的に保存することができ、余分な水が貯水部２０１へ放出されることを可能にする。一実施形態において、保水材料６２１はポリウレタン発泡体である。貯水部２０１の貫通孔２０７は、水がトレイ１００から排出されることを可能にし、水路５１０が、ルーフデッキへの水漏れを潜在的に引き起こし得る水の滞留を防止することを可能にする。複数の栽植構造６２０を含むモジュール式栽植構造は、連結ユニット５００によって栽植構造６２０を互いに確実に連結させることによって形成され得る。
【００３０】
特定の実施形態に示されるとおり、幅広く説明された本発明の趣旨又は範囲から逸脱することなく、本発明に対する変更形態及び／又は修正形態がなされ得ることが当業者に理解される。したがって、本発明の実施形態は、あらゆる面で例示的かつ非限定的なものとして見なされるものである。
【図１】
2018525972.tif 000003
【図２】
2018525972.tif 000004
【図３】
2018525972.tif 000005
【図４】
2018525972.tif 000006
【図５】
2018525972.tif 000007
【図６ａ】
2018525972.tif 000008
【図６ｂ】
2018525972.tif 000009
【図６ｃ】
2018525972.tif 000010
【国際調査報告】
2018525972.tif 000011
2018525972.tif 000012
2018525972.tif 000013